(57)【要約】  本公開は、ページ構築方法、装置、デバイス及び非発揮性コンピュータ記憶媒体を提供する。本公開の実施例は、公開しようとするページの最初文書内容を獲得して、文書組合せ情報と前記最初文書内容に基づいて、前記公開しようとするページのページリソースを生成するようにし、手動操作を必要としなく、操作が簡単になり、操作時間が短く、且つ正確率が高いので、ページ構築の効率と信頼性を向上させる。
2018534657.tif 000002
【特許請求の範囲】
【請求項１】
公開しようとするページの最初文書内容を獲得し、
文書組合せ情報と前記最初文書内容に基づいて、前記公開しようとするページのページリソースを生成することを含む
ページ構築方法。
【請求項２】
前記公開しようとするページの前記最初文書内容を獲得する前に、さらに、
ライト級の標記言語を利用して内容編集処理を行って、前記公開しようとするページの前記最初文書内容を獲得することを含む
請求項１に記載のページ構築方法。
【請求項３】
前記ライト級の標記言語は、Markdown形式の標記言語、Textile形式の標記言語、又はreStructured形式の標記言語を含んでいる
請求項２に記載のページ構築方法。
【請求項４】
前記最初文書内容には、前記文書組合せ情報を示す組合せ記述データを含み、
前記文書組合せ情報と前記最初文書内容に基づいて、前記公開しようとするページの前記ページリソースを生成する前に、さらに、
前記組合せ記述データに基づいて、前記文書組合せ情報を獲得することを含む
請求項１〜３の何れかの一項に記載のページ構築方法。
【請求項５】
前記文書組合せ情報と前記最初文書内容に基づいて、前記公開しようとするページの前記ページリソースを生成した後に、さらに、
前記公開しようとするページの内容が更新されたことを確定し、
前記公開しようとするページの更新文書内容を獲得し、
前記文書組合せ情報と前記更新文書内容に基づいて、前記公開しようとするページの前記ページリソースを更新することを含む
請求項１〜４の何れかの一項に記載のページ構築方法。
【請求項６】
前記公開しようとするページの内容が更新されたことを確定することは、
前記公開しようとするページの現在の文書内容のバージョン標記に基づいて、前記公開しようとするページの内容が更新されたことを確定することを含む
請求項５に記載のページ構築方法。
【請求項７】
公開しようとするページの最初文書内容を獲得する獲得手段と、
文書組合せ情報と前記最初文書内容に基づいて、前記公開しようとするページのページリソースを生成する構築手段とを含む
ページ構築装置。
【請求項８】
前記ページ構築装置は、さらに、
ライト級の標記言語を利用して内容編集処理を行って、前記公開しようとするページの前記最初文書内容を獲得する内容手段を含む
請求項７に記載のページ構築装置。
【請求項９】
前記ライト級の標記言語は、Markdown形式の標記言語、Textile形式の標記言語、又はreStructured形式の標記言語を含んでいる
請求項８に記載のページ構築装置。
【請求項１０】
前記最初文書内容には、前記文書組合せ情報を示す組合せ記述データを含み、前記構築手段は、さらに、
前記組合せ記述データに基づいて、前記文書組合せ情報を獲得する
請求項７〜９の何れかの一項に記載のページ構築装置。
【請求項１１】
前記構築手段は、さらに、
前記公開しようとするページの内容が更新されたことを確定し、
前記公開しようとするページの更新文書内容を獲得し、
前記文書組合せ情報と前記更新文書内容に基づいて、前記公開しようとするページの前記ページリソースを更新する
請求項７〜１０の何れかの一項に記載のページ構築装置。
【請求項１２】
前記構築手段は、具体的に、
前記公開しようとするページの現在の文書内容のバージョン標記に基づいて、前記公開しようとするページの内容が更新されたことを確定する
請求項１１に記載のページ構築装置。
【請求項１３】
一つ又は複数のプロセッサーと、
メモリと、
一つ又は複数のプログラムを含むデバイスであって、前記一つ又は複数のプログラムは前記メモリに記憶されて、前記一つ又は複数のプロセッサーによって実行される時に、
公開しようとするページの最初文書内容を獲得し、
文書組合せ情報と前記最初文書内容に基づいて、前記公開しようとするページのページリソースを生成する
デバイス。
【請求項１４】
コンピューターに、
公開しようとするページの最初文書内容を獲得する手順と、
文書組合せ情報と前記最初文書内容に基づいて、前記公開しようとするページのページリソースを生成させる手順と
を実行させるためのプログラム。
【発明の詳細な説明】
【技術分野】
【０００１】
本出願は、出願日が2015年9月23日で、出願番号が201510612614Xで、発明名称が「ページ構築方法及び装置」である中国特許出願の優先権を要求する。
【０００２】
本公開は、リソース処理技術に関し、特に、ページ構築方法、装置、デバイス及び不揮発性コンピュータ記憶媒体に関する。
【背景技術】
【０００３】
ウェブサイト（Website）とは、インターネットで、所定の規則に従って、プログラミング言語を利用して構築した特定な内容を表示するための関連ウェブページの集合である。ウェブサイトは交流のツールとして、例えば、内容公開類型のウェブサイト等は、ウェブサイトで自分が公開しようとする内容を公開し、又はウェブサイトを利用して関連業務を提供することができる。インターネットユーザーは、ブラウザーアプリ又はウェブサイトに対応する特定のアプリ（Application、APP）でウェブサイトにアクセスして、自分が必要な内容を獲得したり、業務で利用することができる。従来の技術において、開発者はウェブサイトのサービス需要、例えば内容公開等に対して、ウェブサイトの各ページを構成するために、必要な実現ロジック構造即ちページリソースを構築する。
【０００４】
通常は、ページ構築の過程で、大量の手動操作が必要であり、これによって操作が複雑になり、操作時間が長く、誤動作が容易に発生し、ページ構築の効率と信頼性を低下させる。
【発明の概要】
【発明が解決しようとする課題】
【０００５】
本公開の複数の方面は、ページ構築方法、装置、デバイス及び不揮発性コンピュータ記憶媒体を提供して、ページ構築の効率と信頼性を向上させる。
【課題を解決するための手段】
【０００６】
本公開の一方面は、公開しようとするページの最初文書内容を獲得し、文書組合せ情報と前記最初文書内容に基づいて、前記公開しようとするページのページリソースを生成することを含むページ構築方法を提供する。
【０００７】
前記の方面といずれか一つの可能な実現方式によると、さらに一実現方式を提供するが、前記公開しようとするページの最初文書内容を獲得する前に、さらに、ライト級の標記言語を利用して内容編集処理を行って、前記公開しようとするページの最初文書内容を獲得することを含む。
【０００８】
前記の方面といずれか一つの可能な実現方式によると、さらに一実現方式を提供するが、前記ライト級の標記言語は、Markdown形式の標記言語、Textile形式の標記言語、又はreStructured形式の標記言語を含んでいる。
【０００９】
前記の方面といずれか一つの可能な実現方式によると、さらに一実現方式を提供するが、前記最初文書内容には、前記文書組合せ情報を示す組合せ記述データを含み、前記文書組合せ情報と前記最初文書内容に基づいて、前記公開しようとするページのページリソースを生成する前に、さらに、前記組合せ記述データに基づいて、前記文書組合せ情報を獲得することを含む。
【００１０】
前記の方面といずれか一つの可能な実現方式によると、さらに一実現方式を提供するが、前記文書組合せ情報と前記最初文書内容に基づいて、前記公開しようとするページのページリソースを生成した後に、さらに、前記公開しようとするページの内容が更新されたことを確定し、前記公開しようとするページの更新文書内容を獲得し、文書組合せ情報と前記更新文書内容に基づいて、前記公開しようとするページのページリソースを更新することを含む。
【００１１】
前記の方面といずれか一つの可能な実現方式によると、さらに一実現方式を提供するが、前記公開しようとするページの内容が更新されたことを確定することは、前記公開しようとするページの現在の文書内容のバージョン標記に基づいて、前記公開しようとするページの内容が更新されたことを確定することを含む。
【００１２】
本公開の他の一方面は、公開しようとするページの最初文書内容を獲得する獲得手段と、文書組合せ情報と前記最初文書内容に基づいて、前記公開しようとするページのページリソースを生成する構築手段とを含むページ構築装置を提供する。
【００１３】
前記の方面といずれか一つの可能な実現方式によると、さらに一実現方式を提供するが、前記装置は、さらに、ライト級の標記言語を利用して内容編集処理を行って、前記公開しようとするページの最初文書内容を獲得する内容手段を含む。
【００１４】
前記の方面といずれか一つの可能な実現方式によると、さらに一実現方式を提供するが、前記ライト級の標記言語は、Markdown形式の標記言語、Textile形式の標記言語、又はreStructured形式の標記言語を含んでいる。
【００１５】
前記の方面といずれか一つの可能な実現方式によると、さらに一実現方式を提供するが、前記最初文書内容には、前記文書組合せ情報を示す組合せ記述データを含み、前記構築手段は、さらに、前記組合せ記述データに基づいて、前記文書組合せ情報を獲得する。
【００１６】
前記の方面といずれか一つの可能な実現方式によると、さらに一実現方式を提供するが、前記構築手段は、さらに、前記公開しようとするページの内容が更新されたことを確定し、前記公開しようとするページの更新文書内容を獲得し、文書組合せ情報と前記更新文書内容に基づいて、前記公開しようとするページのページリソースを更新する。
【００１７】
前記の方面といずれか一つの可能な実現方式によると、さらに一実現方式を提供するが、前記構築手段は、具体的に、前記公開しようとするページの現在の文書内容のバージョン標記に基づいて、前記公開しようとするページの内容が更新されたことを確定する。
【００１８】
本公開の他の一方面は、一つ又は複数のプロセッサーと、メモリと、一つ又は複数のプログラムを含むデバイスであって、前記一つ又は複数のプログラムは前記メモリに記憶されて、前記一つ又は複数のプロセッサーによって実行される時に、公開しようとするページの最初文書内容を獲得し、文書組合せ情報と前記最初文書内容に基づいて、前記公開しようとするページのページリソースを生成するデバイスを提供する。
【００１９】
本公開の他の一方面は、一つ又は複数のプログラムを記憶する不揮発性コンピューター記憶媒体であって、前記一つ又は複数のプログラムが一つのデバイスによって実行される時に、前記デバイスに、公開しようとするページの最初文書内容を獲得し、文書組合せ情報と前記最初文書内容に基づいて、前記公開しようとするページのページリソースを生成させる。
【００２０】
前記技術方案によると、本公開の実施例は、公開しようとするページの最初文書内容を獲得することによって、文書組合せ情報と前記最初文書内容に基づいて、前記公開しようとするページのページリソースを生成するようにし、手動操作を必要としなく、操作が簡単になり、操作時間が短く、且つ正確率が高いので、ページ構築の効率と信頼性を向上させる。
【００２１】
また、本公開で提供する技術案を利用して、手動操作を必要としなく、ページ構築フローを完全に自動的に実行するので、ページ構築フローの時間を大幅に短縮し、ユーザーの体験を有効に向上させることができる。
【００２２】
また、本公開で提供する技術案は、内容が更新されたことを確定し、さらに、前記公開しようとするページの更新文書内容を獲得することによって、文書組合せ情報と前記更新文書内容に基づいて、前記公開しようとするページのページリソースを更新し、ページの信頼性を有効に向上させることができる。
【図面の簡単な説明】
【００２３】
本公開の実施例における技術案をより明瞭に説明するために、以下では、実施例又は従来の技術の記載に必要な図面を簡単に紹介し、以下に記載した図面は本発明の一部の実施例で、本分野の当業者であれば、創造的な労働をしなく、これらの図面によって他の図面を得られるのは容易なことである。
【００２４】
【図１】本公開の一実施例で提供するページ構築方法のフローチャートである。
【図２】本公開の他の一の実施例で提供するページ構築装置の構造概略図である。
【図３】本公開の他の一の実施例で提供するページ構築装置の構造概略図である。
【発明を実施するための形態】
【００２５】
本公開の実施例の目的、技術案及び利点をより明確にするために、以下では、本公開の実施例における図面を利用して本公開の実施例の技術案を明確で完全に記述する。記述する実施例はただ本公開の一部の実施例で、全部の実施例ではないことを明確にするべきである。本公開における実施例に基づいて、本分野の当業者が創造的な労働をしない前提で獲得する全部の他の実施例は、いずれも本発明の保護範囲に属する。
【００２６】
ここで、本公開の実施例に関する端末は、携帯電話、個人データアシスタント（Personal Digital Assistant、PDA）、無線携帯デバイス、タブレットコンピューター（Tablet Computer）、個人コンピューター（Personal Computer、PC）、MP3プレイヤー、MP4プレイヤー、着用デバイス（例えば、スマート眼鏡、知能腕時計、スマートブレスレット（Smart Bracelet）等）等を含んでいてもよいが、これらに限定されない。
【００２７】
また、本文で使用する用語「と/または」は、ただ関連対象の関連関係を表示するもので、三つの関係が可能である。例えば、Aと/またはBは、ただAだけ存在する場合と、AとBが同時に存在する場合と、ただBだけ存在する場合の三つの可能性がある。また、本文で符号「/」は、一般的に前後関連対象が「または」の関係であることを示す。
【００２８】
図１は、本公開の一実施例で提供するページ構築方法のフローチャートであり、図１に示すようである。
【００２９】
101で、公開しようとするページの最初文書内容を獲得する。
【００３０】
最初文書内容と言うのは、公開しようとするページの文書内容を示し、ここの「最初」との二つの文字は何れの特別な意味を有していなく、ただ後の「更新文書内容」を区分するために用いられる。
【００３１】
102で、文書組合せ情報と前記最初文書内容に基づいて、前記公開しようとするページのページリソースを生成する。
【００３２】
文書組合せ情報と言うのは、所定の順序、レイアウト等の公開しようとするページのページ需要に従って、最初文書内容を配列して公開しようとするページを形成するページ記述情報である。
【００３３】
ここで、101〜103の実行主体の一部又は全部は、ローカル端末に位置しているアプリ、またはローカル端末に位置しているアプリに設置されているプラグインまたはソフトウェア開発キット（Software Development Kit、SDK）等の機能手段であってもよく、またはネットワーク側のサーバーにある処理エンジンであってもよく、またはネットワーク側にある分布式システムであってもよく、本実施例ではこれに対して特別に限定しない。
【００３４】
前記アプリは、端末にインストールしたネイティブアプリ（nativeApp）であってもよく、または端末におけるブラウザー上の一つのウェブページアプリ（webApp）であってもよく、本実施例ではこれに対して特別に限定しない。
【００３５】
このようにして、公開しようとするページの最初文書内容を獲得することによって、文書組合せ情報と前記最初文書内容に基づいて、前記公開しようとするページのページリソースを生成し、手動操作を必要としなく、操作が簡単になり、操作時間が短く、且つ正確率が高いので、ページ構築の効率と信頼性を向上させる。
【００３６】
本実施例で、公開しようとするページのページリソースは最初文書内容に基づいて生成したものであるので、公開しようとするページの文書内容が予めに公開しようとするページのページリソースに埋め込まれているので、他のデータベースに公開しようとするページの文書内容を記憶する必要がなく、ユーザーが公開しようとするページをアクセスする過程でそのページリソースを解釈する時こそこのデータベースから公開しようとするページの文書内容を獲得することによる公開しようとするページの表示時間が長い技術問題を回避でき、それによって、公開しようとするページの表示効率を有効に向上させることができる。
【００３７】
好ましくは、本実施例の一つの可能な実現形態で、101の前に、さらに、ライト級の標記言語を利用して内容編集処理を行って、前記公開しようとするページの最初文書内容を獲得してもよい。
【００３８】
具体的に、所謂ライト級の標記言語とは、異なる方式で文書を標記し、簡単で読み易い文法を設計した。実際は、その文法は非常に簡単で、ただ簡単な形式及び幾つかの簡単な特殊文字又は文字列を利用して段落タイトル、リスト、テーブル、引用、フォント等の内容を標記する。
【００３９】
例えば、Markdown形式の標記言語、Textile形式の標記言語またはreStructured形式の標記言語等のライト級の標記言語を利用して、内容編集処理を行ってもよい。
【００４０】
一つの具体的な実現過程で、前記公開しようとするページの最初文書内容を獲得すると、獲得した公開しようとするページの最初文書内容を一つの文書ベースに提出して、101ステップを実行してもよく、即ち当該文書ベースから公開しようとするページの最初文書内容を獲得してもよい。
【００４１】
好ましくは、本実施例の一つの可能な実現形態で、102で、利用した文書組合せ情報はサンプルページのページリソースである。ここで、ページリソースは、ページのメインリソースとページサブリソースを含む。
【００４２】
所謂ページとは、ワールドワイドウェブ（World Wide Web、Web）ページとも呼ばれ、ハイパーテキスト・マークアップ・ランゲージ（HyperText Markup Language、HTML）で編集したウェブページ（Web Page）、即ちHTMLページであってもよく、またはHTMLとJava（登録商標）言語で編集したウェブページ、即ちJava（登録商標）サーバーページ（JavaServer Page、JSP）であってもよく、または他の言語で編集したウェブページであってもよく、本実施例ではこれに対して特別に限定しない。
【００４３】
ページは、一つまたは複数ページラベル、例えば、HTMLラベル、JSPラベル等を含んでいてもよく、定義した一つの表示ブロックはページ元素と呼ばれ、例えば、文字、イメージ、ハイパーリンク、ボタン、入力ボックス、ドロップダウンリスト等を含んでいてもよく、本実施例ではこれに対して特別に限定しない。
【００４４】
所謂ページメインリソースとは、ページソースコード、例えば、HTMLページソースコード又はJSPソースコード等を含んでいてもよい。
【００４５】
所謂ページサブリソースは、ページメインリソースにリンクされたある静的なリソース（Static Resource）、例えば、JavaScript（登録商標）スクリプトファイル、カスケード・スタイル・シート（Cascading Style Sheets、CSS）リソースまたはイメージ等である。
【００４６】
さらに、利用した文書組合せ情報の確定方法は、多くの種類があり、本公開ではこれに対して特別に限定しない。
【００４７】
一つの具体的な実現過程で、具体的に、デフォルトの文書組合せ情報を利用する文書組合せ情報として確定する。
【００４８】
他の一つの具体的な実現過程で、前記最初文書内容には公開しようとするページに必要なページ内容を含んでいる以外に、さらに、前記文書組合せ情報を示す組合せ記述データ、例えば、layout: knowledges等も含み、相応的に、前記組合せ記述データに基づいて、前記文書組合せ情報を獲得してもよい。
【００４９】
本公開で、サンプルページのページリソースと獲得した文書内容に基づいて、公開しようとするページのページリソースを生成して、一つの完全なページを構築することに成功する。ユーザーが当該公開しようとするページをアクセスする時、当該公開しようとするページのページソースコードに対応するHTMLソースコードをユーザーへ提供して、ページのアプリをアクセスさせて、当該アプリが当該ページソースコードに対応するHTMLソースコードに基づいて、前記公開しようとするページをユーザーへ表示させるようにする。
【００５０】
好ましくは、本実施例の一つの可能な実現形態で、102の後で、さらに、前記公開しようとするページの内容の変化状況、例えば、最初文書内容の増加、削除又は修正等を監視して、前記公開しようとするページの内容が更新されたか否かを確定してもよい。
【００５１】
前記公開しようとするページの内容が更新されたことを確定すると、さらに、前記公開しようとするページの更新文書内容を獲得することができる。そして、文書組合せ情報と前記更新文書内容に基づいて、前記公開しようとするページのページリソースを更新する。
【００５２】
一つの具体的な実現過程で、毎回に公開しようとするページのページリソースを生成することに根拠となる文書内容のバージョンを管理してもよい。具体的に、毎回に公開しようとするページのページリソースを生成することに根拠となる文書内容に対してバージョンを標記し、即ち毎回に公開しようとするページのページリソースを生成するに根拠となる文書内容に一つの文書内容のバージョン標記を割り当てる。具体的には、前記公開しようとするページの現在の文書内容のバージョン標記に基づいて、前記公開しようとするページの内容が更新されたか否かを確定する。
【００５３】
例えば、前記公開しようとするページの現在の文書内容のバージョン標記が最近の一回に獲得した前記公開しようとするページの最初の文書内容のバージョン標記と一致すると、前記公開しようとするページの内容に変化がないことを説明し、前記公開しようとするページの内容が更新されなかったことを確定し、前記公開しようとするページの現在の文書内容のバージョン標記が最近の一回に獲得した前記公開しようとするページの最初の文書内容のバージョン標記と一致していないと、前記公開しようとするページの内容が変化されたことを説明し、前記公開しようとするページの内容が更新されたことを確定する。
【００５４】
本実施例で、公開しようとするページの最初文書内容を獲得して、文書組合せ情報と前記最初文書内容に基づいて、前記公開しようとするページのページリソースを生成するようにし、手動操作を必要としなく、操作が簡単になり、操作時間が短く、且つ正確率が高いので、ページ構築の効率と信頼性を向上させる。
【００５５】
なお、本公開で提供する技術案を利用すると、手動操作を必要としなく、ページ構築フローを完全に自動的に実行するので、ページ構築フローの時間を大幅に短縮し、ユーザーの体験を有効に向上させる。
【００５６】
また、本公開で提供する技術案を利用して、公開しようとする内容が更新されたことを確定し、さらに、前記公開しようとするページの更新文書内容を獲得することによって、文書組合せ情報と前記更新文書内容に基づいて、前記公開しようとするページのページリソースを更新するようにし、ページの信頼性を有効に向上させる。
【００５７】
本公開で提供する技術案は、さらに以下の利点がある。
【００５８】
1、流れが高度に自動化されている。
【００５９】
公開しようとするページの最初文書内容を編集してから、文書ベースへ提出した後、短い期限内にオンラインで公開しようとするページを見ることができ、何れかの人工的な介入を必要としない。
【００６０】
2、ライト級の構造であり、余分な依存根拠が必要ない。
【００６１】
オンライン上のサイトでは、これ以上にデータベースの記憶文書内容が必要でなく、ただサイトに最も基礎となるWebサーバの支持のみを必要とする。
【００６２】
ここで、前記の各方法の実施例を簡単に記述するために、それを一連の動作の組合せとして記述するが、本分野の当業者であれば、本公開によると、あるステップは他の順序または同時に行ってもよく、本公開は記述した動作順序によって限定されないことを了解すべきである。その以外に、本分野の当業者であれば、明細書に記述した実施例は全部好ましい実施例に属し、それに関する動作とボロックは本公開に必ずしも必要なものではないことを了解すべきである。
【００６３】
前記実施例で、各実施例の記述は全部それぞれ重点があり、ある実施例では詳細な部分がなく、他の実施例の関連記述を参照してもよい。
【００６４】
図２は、本公開の他の一の実施例で提供するページ構築装置の構造概略図であり、図２に示すようである。本実施例のページ構築装置は、獲得手段21と、構築手段22とを含んでいてもよい。ここで、獲得手段21は、公開しようとするページの最初文書内容を獲得し、構築手段22は、文書組合せ情報と前記最初文書内容に基づいて、前記公開しようとするページのページリソースを生成する。
【００６５】
ここで、本実施例で提供するページ構築装置の一部又は全部は、ローカル端末に位置しているアプリ、またはローカル端末に位置しているアプリに設置されているプラグインまたはソフトウェア開発キット（Software Development Kit、SDK）等の機能手段であってもよく、またはネットワーク側のサーバーにある処理エンジンであってもよく、またはネットワーク側にある分布式システムであってもよく、本実施例ではこれに対して特別に限定しない。
【００６６】
前記アプリは、端末にインストールしたネイティブアプリ（nativeApp）であってもよく、または端末におけるブラウザー上の一つのウェブページアプリ（webApp）であってもよく、本実施例ではこれに対して特別に限定しない。
【００６７】
好ましくは、本実施例の一つの可能な実現形態で、図３に示すように、本実施例で提供するページ構築装置は、さらに、ライト級の標記言語を利用して内容編集処理を行って、前記公開しようとするページの最初文書内容を獲得する内容手段31を含んでいてもよい。
【００６８】
例えば、Markdown形式の標記言語、Textile形式の標記言語またはreStructured形式の標記言語等のライト級の標記言語を利用して、内容編集処理を行ってもよい。
【００６９】
好ましくは、本実施例の一つの可能な実現形態で、前記最初文書内容には、前記文書組合せ情報を指示する組合せ記述データを含み、相応的に、前記構築手段22は、さらに、前記組合せ記述データに基づいて、前記文書組合せ情報を獲得する。
【００７０】
好ましくは、本実施例の一つの可能な実現形態で、前記構築手段22は、さらに、前記公開しようとするページの内容が更新されたことを確定し、前記公開しようとするページの更新文書内容を獲得し、文書組合せ情報と前記更新文書内容に基づいて、前記公開しようとするページのページリソースを更新する。
【００７１】
一つの具体的な実現過程で、前記構築手段22は、具体的に、前記公開しようとするページの現在の文書内容のバージョン標記に基づいて、前記公開しようとするページの内容が更新されたことを確定してもよい。
【００７２】
ここで、図１に対応する実施例における方法は、本実施例で提供するページ構築装置によって実現されてもよい。詳細な記述は、図1に対応する実施例における関連内容を参照することができ、ここでは重複して記載しない。
【００７３】
本実施例で、獲得手段が、公開しようとするページの最初文書内容を獲得して、構築手段が文書組合せ情報と前記最初文書内容に基づいて、前記公開しようとするページのページリソースを生成するようにし、手動操作を必要としなく、操作が簡単になり、操作時間が短く、且つ正確率が高いので、ページ構築の効率と信頼性を向上させる。
【００７４】
なお、本公開で提供する技術案は、手動操作を必要としなく、ページ構築フローを完全に自動的に実行するので、ページ構築フローの時間を大幅に短縮し、ユーザーの体験を有効に向上させる。
【００７５】
また、本公開で提供する技術案は、公開しようとする内容が更新されたことを確定し、さらに、前記公開しようとするページの更新文書内容を獲得することによって、文書組合せ情報と前記更新文書内容に基づいて、前記公開しようとするページのページリソースを更新するようにし、ページの信頼性を有効に向上させる。
【００７６】
所属分野の当業者であれば、記述の便利と簡潔のために、上述記述のシステム、装置と手段の具体的な動作過程は、前述方法の実施例における対応過程を参照できることを理解すべきで、ここで重複に記述しない。
【００７７】
本発明で提供する幾つかの実施例で開示したシステム、装置及び方法は、他の方式によって実現できるのは理解すべきである。例えば、以上に記載した装置の実施例はただ例示的なもので、例えば、前記手段の分割はただロジック機能の分割で、実際に実現する時は他の分割方式によってもよい。例えば、複数の手段又はモジュールは結合でき又は他の一つのシステムに集積でき、またはある特徴は無視し、または実行しないでもよい。また、示しまたは検討した互いの間の結合または直接に結合又は通信接続は、あるインタフェース、装置または手段の間接的な接合又は通信接続によるものであってもよく、電気的、機械または他の形式であってもよい。
【００７８】
前記で分離部材として説明した手段は、物理上で分離したものであってもよく物理上で分離しなかったものであってもよく、即ち、同一の位置にあってもよく、複数のネットワークユニットに分布されていてもよい。実際の必要によってその一部または全部の手段を選択して本実施例の方案の目的を実現してもよい。
【００７９】
また、本発明の各実施例における各機能手段は一つの処理モジュールに集積してもよく、各手段が物理上で単独に存在してもよく、二つ又は二つ以上の手段を一つの手段に集積してもよい。前記集積した手段は、ハードウェアの形式に実現してもよく、ハードウェアにソフトウェアの機能手段を結合する形式で実現してもよい。
【００８０】
上記のソフト機能手段の形式で実現した集積した手段は、一つのコンピューターが可読な記憶媒体に記憶してもよい。前記ソフト機能手段は一つの記憶媒体に記憶してもよく、複数の命令を含んで一つのコンピューターデバイス（パーソナルコンピューター、サーバー、又はネットワークデバイス等）又は処理モジュール（processor）によって、本発明の各実施例の前記方法の一部のステップを実行させてもよい。前記記憶媒体は、Uディスク、ポータブルハードウェア、読み出し専用メノリ（Read-Only Memory、ROM）、ランダムアクセスメモリ（Random Access Memory、RAM）、ディスク又は光ディスク等の複数のプログラムコードを記憶できる媒体を含む。
【００８１】
最後に、以上の実施例はただ本発明の技術案を説明するためのもので、それについての限定ではなく、前記実施例を参照して本発明を詳細に説明したが、本分野の当業者は、前記の各実施例に記載の技術案を修正でき、又はその一部の技術特徴を等価置換でき、これらの修正又は置換の技術案の本質は本発明の各実施例の技術案の主旨及び範囲を離脱しない。
【図１】
2018534657.tif 000003
【図２】
2018534657.tif 000004
【図３】
2018534657.tif 000005
【国際調査報告】
2018534657.tif 000006
2018534657.tif 000007
2018534657.tif 000008
2018534657.tif 000009